(57)【要約】塗布・刺激器具は、可撓性を有するスリーブであって一方の端部が閉じられていると共にその外壁に一つまたはそれ以上の凹凸状のセルを有し且つ人間の指を受容するのに適するスリーブを具備する。流体の塗布を補助するために、塗布・刺激器具は、外壁に組み込まれ且つシールによって流体を収容する一つまたはそれ以上のセルを有し、流体はシールによって保持される。シールは、外壁に圧力が加えられたときまたは上記外壁がシールを弱めるような環境に接したときに、開放または破裂可能である。スリーブは、天然ゴムまたは合成ゴム（例えば高い可塑性を有するポリ塩化ビニル樹脂）のような弾性材料から形成される。外壁に組み込まれたセルは、当該器具の成形中に外壁にくぼみを生成することによって形成される。スリーブの本体は、撓んでいない状態にあるときにほぼ円筒形であり、セルは、閉じている端部に近接してスリーブの表面の一部上に形成され且つ表面上において円筒の軸線から計測して９０度の角度範囲に維持されることが好ましい。セルは、潤滑剤、薬理作用化合物またはこれら物質の合成物を収容する。好適な薬理作用化合物としては、血管拡張剤単体またはそれに組織に塗布されるときに粘度および停滞特性をもたらす一つまたはそれ以上の補助剤を含む混合剤を加えたもののような血管拡張作用のある化合物であるのが好ましい。スリーブの開いている端部の円周の少なくとも一部にはシールされた状態で溝が保持され、この溝は潤滑剤で満たされ、潤滑剤はシールが破裂したときに放出される。
2004513705.tif 000002
【特許請求の範囲】
【請求項１】
可撓性を有するスリーブであって、その一方の端部が閉じられていると共にその外壁に一つまたはそれ以上の凹凸状のセルを有し且つ人間の指を受容するのに適するスリーブを具備する刺激器具。
【請求項２】
可撓性を有するスリーブであって、その一方の端部が閉じられていると共にその外壁に組み込まれて流体を収容する一つまたはそれ以上のセルを有し、上記流体がシールによって保持され、上記シールが、上記外壁に圧力が加えられたときまたは上記外壁がシールを弱めるような環境に接したときに、開放または破裂可能であるスリーブを具備する塗布器具。
【請求項３】
当該刺激・塗布器具はその外壁に一つまたはそれ以上の凹凸状のセルを有し、少なくとも幾つかのセルはシールによって保持された流体を収容し、該シールは、上記外壁に圧力が加えられたときまたは上記外壁がシールを弱めるような環境に接したときに、開放または破裂可能であることを特徴とする請求項１または２に記載の刺激・塗布器具。
【請求項４】
上記可撓性を有するスリーブは、天然ゴムまたは合成ゴムのような弾性材料から形成されることを特徴とする請求項１〜３のいずれか１項に記載の刺激および／または塗布器具。
【請求項５】
上記弾性材料は、高い可塑性を有するポリ塩化ビニル（ＰＶＣ）樹脂であることを特徴とする請求項４に記載の刺激および／または塗布器具。
【請求項６】
上記外壁に組み込まれるセルは、当該器具の成型中に外壁にくぼみを生成することによって形成されることを特徴とする請求項４または５に記載の刺激および／または塗布器具。
【請求項７】
上記スリーブの本体は、撓んでいない状態にあるときにほぼ円筒形であることを特徴とする請求項４〜６のいずれか１項に記載の刺激および／または塗布器具。
【請求項８】
上記セルは、閉じている端部に近接してスリーブの表面の一部上に形成され、且つ上記表面上において上記円筒の軸線から計測して約９０度の角度範囲に維持されることを特徴とする請求項４〜７のいずれか１項に記載の刺激および／または塗布器具。
【請求項９】
上記セルは一方の端部で開いており、流体が充填された後にシーラント層で覆われることを特徴とする請求項４〜８のいずれか１項に記載の刺激および／または塗布器具。
【請求項１０】
上記シーラントが、ゼラチン、改質ゼラチン、ポリビニルアルコール、セルロース、改質セルロース、ポリビニルピロリドン、ポリ酢酸ビニルおよび／またはアルギン酸誘導体から形成されたフィルムであることを特徴とする請求項９に記載の刺激および／または塗布器具。
【請求項１１】
上記セルは、これらセルが形成される材料の弾性力によって実質的に自己シールされる開口を有することを特徴とする請求項４〜８のいずれか１項に記載の刺激および／または塗布器具。
【請求項１２】
上記セルは、潤滑剤、薬理作用化合物、またはこれら物質の合成物を収容することを特徴とする請求項４〜１１のいずれか１項に記載の刺激および／または塗布器具。
【請求項１３】
上記セルは、血管拡張剤のような血管拡張作用のある化合物を収容することを特徴とする請求項１２に記載の刺激および／または塗布器具。
【請求項１４】
上記セルは、ニトログリセリン、硝酸イソソルビド、アミノフィリン、エチレンジアミンを含むテオフィリン、コデルゴクリンメシレート、またはアルファジヒドロエルゴクリチンおよびベータジヒドロエルゴクリチンを含むジヒドロエルゴクリスチンメシレートとジヒドロエルゴゴルニムメシレートとの合成物を収容することを特徴とする請求項１３に記載の刺激および／または塗布器具。
【請求項１４】
上記セルは、プロスタグランジンＥのようなプロスタノイド化合物を収容することを特徴とする請求項１１に記載の刺激および／または塗布器具。
【請求項１５】
上記セルは、アポモルヒネ、メントール単体、またはＬアラニンを含むメントールを収容することを特徴とする請求項１２に記載の刺激および／または塗布器具。
【請求項１６】
上記セル内の流体は、組織に塗布されたときに粘度および停滞特性をもたせるために、ステアリン酸、トリエタノールアミンのような一つまたはそれ以上の補助剤を含むことを特徴とする請求項９〜１５のいずれか１項に記載の刺激および／または塗布器具。
【請求項１７】
上記開いている端部の円周の少なくとも一部は、水性のまたは非水性の潤滑剤が充填されたシールされた溝を保持し、上記潤滑剤はシールが破裂せしめられると放出されることを特徴とする請求項１〜１７のいずれか１項に記載の刺激および／または塗布器具。
【請求項１８】
皮膚領域に流体を塗布する方法であって、
可撓性を有するスリーブであって、一方の端部が閉じられていると共にその外壁に組み込まれた一つまたはそれ以上のシールされたセルを有するスリーブを具備する塗布器具が指を覆うように嵌められ、その後、セルに近接した外壁の領域が緩やかな圧力の下で皮膚領域と接触するように位置され、これにより流体がセルから破裂部またはシールの開口を介して放出されることを特徴とする方法。
【発明の詳細な説明】
【０００１】
本発明は、刺激器具、および流体を敏感皮膚領域、特に勃起組織へ指手段によって局所的に塗布するための方法および塗布器具に関する。
【０００２】
敏感皮膚領域の指によるマッサージは、可撓性のスリーブ内に収容された状態の指を用いて行うのが好ましい。このことには、感染症の予防と様々なマッサージ師毎の皮膚表面の大きな差異をなくすこととの二つの利点がある。「指サック」として市場で入手可能な表面がラテックスゴムで全体的に滑らかなスリーブを用いても、性的目的に関して十分な刺激をほとんど与えることができない。
【０００３】
潤滑剤および薬剤のような流体を敏感皮膚領域に指により直接塗布することは、従来から、（多くの場合にはラテックスグローブまたは同様なグローブ内に包囲された状態の）指を流体の容器に浸し、その後、処置すべき領域に指を当てることによって行われている。かなりの量の流体を移送するためには、流体がクリームまたは糊（ペースト）のような粘性または揺変性のある形態である必要がある。移送処置は効果的ではなく、且つクリームまたは糊の形態である流体を塗布するには、ゲル化剤のような添加剤を必要とし、このことは流体内の作用成分、例えば薬剤の濃度を低下させてしまう。また、この場合、容器および塗布用グローブを共に持ち運ぶことは非常に不便である。特に、流体が性交の前に女性の陰核領域に塗布される潤滑剤および／またが薬剤であるときに不便である。
【０００４】
本発明は、指によって陰核へ刺激を与える刺激器具を改良したものを提供し、流体（例えば、潤滑剤および薬剤）を勃起組織のような敏感組織領域に指手段によって局所的に塗布するための方法および器具を提供する。
【０００５】
本発明によれば、可撓性を有するスリーブであって、その一方の端部が閉じられていると共にその外壁に一つまたはそれ以上の凹凸状のセルを有し且つ人間の指を受容するのに適するスリーブを具備する刺激器具が提供される。
【０００６】
さらに、可撓性を有するスリーブであって、その一方の端部が閉じられていると共にその外壁に組み込まれて流体を収容する一つまたはそれ以上のセルを有し、該流体がシールによって保持され、上記シールが、上記外壁に圧力が加えられたときに開放または破裂可能であるスリーブを具備する塗布器具が提供される。
【０００７】
さらに、皮膚領域に流体を塗布する方法であって、可撓性有するスリーブであって、一方の端部が閉じられていると共にその外壁に組み込まれた一つまたはそれ以上のシールされたセルを有するスリーブを具備する塗布器具が指を覆うように嵌められ、その後、セルに近接した外壁の領域が緩やかな圧力の下で皮膚領域と接触するように位置され、これにより流体がセルから破裂部またはシールの開口を介して放出されることを特徴とする方法が提供される。
【０００８】
可撓性を有するスリーブは、天然ゴムまたは合成ゴムのような弾性材料から形成される。スリーブは、成形型のラテックスへの浸せき、射出成型、ブロー成型または公知の他の製造法によって形成される。外壁に組み込まれるセルは、塗布器具の成型中または成型後に外壁にくぼみを生成することにより形成される。スリーブの本体は、撓んでいない状態にあるときに、ほぼ円筒形である。セルは、閉じられている端部に近接してスリーブの表面の一部上に形成され、且つ表面上において円筒の軸線から計測して約９０度の角度範囲に維持されるのが好ましい。塗布器具のスリーブを成型するための材料は、高い可塑性を有するポリ塩化ビニル（ＰＶＣ）樹脂であることが好ましい。
【０００９】
一つの実施形態では、セルは一方の端部で開いており、流体が充填された後にシーラント層で覆われる。別の実施形態では、セルは、これらセルが形成される材料の弾性力によって実質的に自己シールされる開口を有する。更なる実施形態では、セルは、スリーブとは別個に形成され、且つ接着剤または熱溶着によってスリーブの外面に取付けられる。また、流体をセル内に入れた後に、セルのあるスリーブの領域に亘って薄いフィルムを接着することによってセルをシールしてもよい。このフィルムは、スリーブの壁に加わる圧力によって破裂するように十分薄くなければならない。好適な実施形態では、フィルムは、湿った周囲環境によりフィルムが弱まって破裂が促されるように、水分分散可能な材料から形成される。フィルムは、体液の接触によって起こるｐＨの変化により破裂が促されるようにｐＨ感度の高いものであってもよい。別の実施形態によれば、セル内に流体を入れた後に、セルのあるスリーブの領域に亘ってシーラントまたはバーニッシュ（ｖａｒｎｉｓｈ）の薄い層をコーティングすることによってセルがシールされる。フィルムとしてまたはシーラントのコーティングとして使用する適切なフィルム形成材料は、ゼラチンまたは改質ゼラチン、ポリビニルアルコール、カルボキシメチルセルロースのようなセルロースまたは改質セルロース、ポリビニルピロリドン、ポリ酢酸ビニルおよびアルギン酸誘導体を含む。
【００１０】
セルに含有される流体は、潤滑剤、薬理作用化合物、またはこれら物質の合成物を具備する。流体が人間の陰核にまたはその周りに放出される場合、薬理作用化合物は血管拡張剤のような血管拡張作用のある化合物、反対刺激薬、神経興奮剤（ｎｅｒｖｅ ｓｔｉｍｕｌａｎｔ）および／または潤滑剤である。セル内に収容される薬理作用化合物は、ニトログリセリン、硝酸イソソルビド、アミノフィリン、エチレンジアミンを含むテオフィリン、コデルゴクリンメシレート、アルファジヒドロエルゴクリチンメシレートおよびベータジヒドロエルゴクリチンメシレートを含むジヒドロエルゴクリスチンメシレートとジヒドロエルゴゴルニムメシレートとの合成物、プロスタグランジンＥのようなプロスタノイド化合物、アポモルヒネ、メントール単体、またはＬアラニンを含むメントールである。流体は各セル内へ連続的にまたは同時に流入せしめられる。分配システムは各スリーブ内のセルに迅速に充填するように自動化されてもよい。充填後には、バーニッシュ層には組織に塗布されたときに粘度および停滞特性（ｒｅｔｅｎｔｉｏｎ）を持たせるために補助剤（ａｄｊｕｖａｎｔ）、例えばステアリン酸、トリエタノールアミン、シリコーンオイル、セチルアルコール、グリセロール、カルボン酸ゲル剤、メチルセルロース、ワックスベース乳化剤、抗菌剤および抗真菌剤のような防腐剤が含まれていてもよい。
【００１１】
塗布器具のスリーブの壁に流体用のセルが設けられている場合には、これらセルは調整された量の流体を供給することによって満たされ、その後、流体が各セル内に確実に保持されるようにシーラントのコーティングまたは薄いフィルムが設けられる。セルを製造してからスリーブの表面にセルを取付ける別の実施形態では、セルはコアサーベーションのような公知の処置により製造され且つ流体で満たされ、これによりほぼ球状のセルの懸濁液が液体媒体内に懸濁された状態で生成される。懸濁液が直接スリーブに塗られてもよいし、まずセルを分離させてもよい。いずれの場合においても、塗られた合成物は何も添加剤が加えられていないかまたは確実にスリーブの表面に接着されるように添加剤を含有する。
【００１２】
スリーブは、特に液体で満たされていないセルを備えた刺激器具として使用した場合、開いている端部の円周の部分周りにシールされた状態の溝を保持する。溝には、水性のまたは非水性の潤滑剤が満たされ、潤滑剤はシールが破裂することによって放出される。スリーブの基部を外陰組織に対して押し付けたときに破裂が起こる。溝に使用されるシーラントは、スリーブの壁にある流体収容用のセルのシールについて説明したのと同様である。
【００１３】
本発明を明確に理解するために、以下、図面を参照して本発明の一つの形態について説明する。
【００１４】
図１を参照すると、本発明の刺激または塗布器具は、可撓性および弾性を有する材料から形成されるスリーブから成り、このスリーブは一連のくぼみ２を保持する壁１を有する。図３を参照すると、くぼみ２は、当該器具が刺激器具として用いられるときには、その外側に面する端部において開いている。一方、くぼみ２は、当該器具が流体塗布器具として用いられるときには、その外側に面する端部において閉じている。くぼみ２は、シールされた状態にあるときに、流体を収容するセルとして作用する。くぼみが流体で満たされると、くぼみ、すなわちセルの開いている端部が、シーラント用バーニッシュ層を塗布することによって形成された薄い液密層、または薄い粘着フィルムでシールされる。バーニッシュ層またはフィルムは収容されている流体に対して不活性且つ不溶性でなければならない。指がスリーブ内に嵌められると、指によって表面に圧力が加わるため、バーニッシュ層またはフィルムが破裂し、セルが崩壊し、収容されていた液体が表面に流れ出る。多くのバーニッシュ層またはフィルム層では、スリーブが体腔内に挿入されたときにｐＨの変化、温度の変化および／または湿気の変化によって破裂が助長されてもよい。
【００１５】
付加的に、スリーブの開いている端部に近接する壁が、ガイドおよび／または触覚刺激器具として作用する突出部３を保持してもよい。同様な目的のためにスリーブの閉じられている端部が突出部４を保持してもよい。
【００１６】
刺激器具の実施形態においては、スリーブの壁１は開いている端部の円周の部分周りに溝５を保持する。溝５は、潤滑用流体で満たされ且つくぼみ２に用いられたのと同様な形態でシールされるのが好ましい。
【００１７】
一つの例では、塗布器具のスリーブを、長さが約６５ｍｍで内径が約１７ｍｍの柔らかいポリ塩化ビニル（ＰＶＣ）で形成した。その外面には、深さが７ｍｍで表面の直径が５ｍｍの円錐台状のくぼみとして形成された一連のセルを保持させた。セルを、壁の部分に三つずつ三列に並べて同一のパターンで形成した。スリーブに指を挿入することにより、セルに隣接する表面に圧力が加えられたときに幾つかまたは全てのセルが破裂し、一方、このような圧力が加えられていないときにはセルは流体を収容した状態で無傷のままであった。
【００１８】
別の実施形態では、図６を参照すると、スリーブ１はガイドおよび／または触覚刺激器具として作用する突出部３ａをスリーブの上面上に有する。突出部３ａの間には、くぼみ２ａが設けられる。くぼみ２ａを流体で満たした後に、くぼみ２ａの開いている端部が上述した薄い液密層によってシールされる。
【００１９】
塗布器具は、女性の性的興奮障害（ＦＳＡＤ）の治療に特に有用である。この目的のために、塗布器具のセルは、血管拡張作用を有する物質を含む合成流体を収容する。塗布器具が陰核に対して押し付けられると、血管拡張流体が放出され、これにより局所的に動脈血供給血管が膨張して陰核充血が促されると共に自動的に膣液が分泌されるという効果を奏する。
【図面の簡単な説明】
【図１】
本発明の刺激器具または塗布器具のスリーブの主要軸線上の平面図である。
【図２】
図１に示したスリーブを横断した断面図である。
【図３】
図１に示したスリーブの壁内のセルの断面図である。
【図４】
図１に示したスリーブの閉じている端部にある終端突出部の断面図である。
【図５】
図１に示したスリーブの開いている端部にある溝の断面図である。
【図６】
本発明の刺激器具または塗布器具の別の実施形態における主要軸線上の平面図である。
【国際公開パンフレット】
2004513705.tif 000003
2004513705.tif 000004
2004513705.tif 000005
2004513705.tif 000006
2004513705.tif 000007
2004513705.tif 000008
2004513705.tif 000009
2004513705.tif 000010
2004513705.tif 000011
2004513705.tif 000012
2004513705.tif 000013
2004513705.tif 000014
【国際公開パンフレット（コレクトバージョン）】
2004513705.tif 000015
2004513705.tif 000016
【手続補正書】
【提出日】平成15年2月3日(2003.2.3)
【手続補正１】
【補正対象書類名】明細書
【補正対象項目名】特許請求の範囲
【補正方法】変更
【補正の内容】
【特許請求の範囲】
【請求項１】
膣および／または陰核に使用するための刺激および／または塗布器具であって、可撓性を有するスリーブを具備し、該スリーブは、その一方の端部が閉じられていると共に人間の指を受容するのに適し且つその外壁にくぼみによって画成される一つまたはそれ以上の流体用セルを有すると共に陰核領域に局所的に塗布するのに適しており、各流体用セルは上記スリーブの外壁に圧力が加えられたときまたは上記外壁がシールを弱めるような環境に接したときに該セルから流体が放出されるように開放または破裂可能なシールを具備する刺激および／または塗布器具。
【請求項２】
上記指用のスリーブの外壁は、該スリーブの閉じている端部に近接してガイドおよび／または触覚刺激部として作用する突出部を保持する請求項１に記載の刺激および／または塗布器具。
【請求項３】
上記可撓性を有するスリーブは、天然ゴムまたは合成ゴムのような弾性材料から形成されることを特徴とする請求項１または２に記載の刺激および／または塗布器具。
【請求項４】
上記弾性材料は、高い可塑性を有するポリ塩化ビニル（ＰＶＣ）樹脂であることを特徴とする請求項３に記載の刺激および／または塗布器具。
【請求項５】
上記流体用セルは、当該器具の成型中に外壁にくぼみを生成することによって形成されることを特徴とする請求項１〜４のいずれか１項に記載の刺激および／または塗布器具。
【請求項６】
上記スリーブの本体は、撓んでいない状態にあるときにほぼ円筒形であることを特徴とする請求項１〜５のいずれか１項に記載の刺激および／または塗布器具。
【請求項７】
上記流体用セルは、閉じている端部に近接してスリーブの表面の一部上に形成され、且つ上記表面上において上記円筒の軸線から計測して約９０度の角度範囲に維持されることを特徴とする請求項１〜６のいずれか１項に記載の刺激および／または塗布器具。
【請求項８】
上記セルは一方の端部で開いており、流体が充填された後にシーラントの層で覆われることを特徴とする請求項１〜７のいずれか１項に記載の刺激および／または塗布器具。
【請求項９】
上記シーラントが、ゼラチン、改質ゼラチン、ポリビニルアルコール、セルロース、改質セルロース、ポリビニルピロリドン、ポリ酢酸ビニルおよび／またはアルギン酸誘導体から形成されたフィルムであることを特徴とする請求項８に記載の刺激および／または塗布器具。
【請求項１０】
上記セルは、これらセルが形成される材料の弾性力によって実質的に自己シールされる開口を有することを特徴とする請求項１〜９のいずれか１項に記載の刺激および／または塗布器具。
【請求項１１】
上記セルは、潤滑剤、薬理作用化合物、またはこれら物質の合成物を収容することを特徴とする請求項１〜１０のいずれか１項に記載の刺激および／または塗布器具。
【請求項１２】
上記薬理作用化合物は、血管拡張作用のある化合物、反対刺激薬、神経興奮剤またはこれら物質の合成物であることを特徴とする請求項１１に記載の刺激および／または塗布器具。
【請求項１３】
上記流体用セルは、血管拡張剤のような血管拡張作用のある化合物を収容することを特徴とする請求項１２に記載の刺激および／または塗布器具。
【請求項１４】
上記流体用セルは、ニトログリセリン、硝酸イソソルビド、アミノフィリン、エチレンジアミンを含むテオフィリン、コデルゴクリンメシレート、またはアルファジヒドロエルゴクリチンおよびベータジヒドロエルゴクリチンを含むジヒドロエルゴクリスチンメシレートとジヒドロエルゴゴルニムメシレートとの合成物を収容することを特徴とする請求項１３に記載の刺激および／または塗布器具。
【請求項１５】
上記流体用セルは、プロスタグランジンＥのようなプロスタノイド化合物を収容することを特徴とする請求項１２に記載の刺激および／または塗布器具。
【請求項１６】
上記流体用セルは、アポモルヒネ、メントール単体、またはＬアラニンを含むメントールを収容することを特徴とする請求項１２に記載の刺激および／または塗布器具。
【請求項１７】
上記流体用セルは、組織に塗布されたときに粘度および停滞特性をもたせるために、ステアリン酸またはトリエタノールアミンのような一つまたはそれ以上の補助剤を収容することを特徴とする請求項１〜１６のいずれか１項に記載の刺激および／または塗布器具。
【請求項１８】
上記開いている端部の円周の少なくとも一部は、水性のまたは非水性の潤滑剤が充填されたシールされた状態の溝を保持し、上記潤滑剤はシールが破裂せしめられると放出されることを特徴とする請求項１〜１７のいずれか１項に記載の刺激および／または塗布器具。
【請求項１９】
皮膚領域に流体を塗布する方法であって、
請求項１〜１８のいずれか１項に記載の塗布装置が指を覆うように指に嵌められ、その後、セルに近接したスリーブの外壁の領域が緩やかな圧力の下で皮膚領域と接触するように位置され、これにより流体がセルから破裂部またはシールの開口を介して放出されることを特徴とする方法。
【国際調査報告】
2004513705.tif 000017
2004513705.tif 000018
2004513705.tif 000019
2004513705.tif 000020